(57)【特許請求の範囲】
【請求項１】
数種類の水道栓取付体と一つのカバー体とからなり、それぞれの水道栓取付体はそれぞれ開閉自在である内側環状体と外側環状体からなる二重輪の環状体からなり、内側環状体は、中心部分に水道栓又は水道元栓の首軸部分外周に嵌合可能な首軸用孔を開口しており、外周面に外側環状体と嵌合可能な外周溝を設け、外側環状体は、中心部分に内側環状体の外周溝に嵌合する内周突部を有する嵌合孔を形成され、かつ外周面はカバー体内周面より小さい外周面を有するとともに、一つのカバー体は全ての水道栓取付体の環状体外周形状より大きく水道栓または水道元栓を被覆可能な空隙を有する栓被覆部を有し、栓被覆部の開口部に突出自在な移動爪を有することを特徴とする停水用装置。
【請求項２】
数種類の水道栓取付体と一つのカバー体とからなり、それぞれの水道栓取付体は、それぞれ環の外方に開閉自在である内側環状体と外側環状体からなる二重輪の環状体からなり、内側環状体は、中心部分に水道栓又は水道元栓の首軸部分外周に嵌合可能な首軸用孔を開口しており、少なくとも外周部分に肉厚部を形成し外周全面に外側環状体と嵌合可能な外周溝を設け、外側環状体は、中心部分に内側環状体の外周溝に嵌合する内周突部を有する嵌合孔を形成され、かつ外周面はカバー体内周面より小さい外周面を有するとともに、一つのカバー体は全ての水道栓取付体の環状体外周形状より大きく水道栓または水道元栓を被覆可能な空隙を有する栓被覆部を有し、栓被覆部の開口部に突出自在な移動爪を有することを特徴とする停水用装置。
【発明の詳細な説明】
【０００１】
【発明の属する技術分野】
この発明は、水道料金の未払い等の理由により水道栓あるいは水道元栓を強制的に閉めたまま一定の解除キーを使用しなければ取り除くことのできない、水道を停水する為の停水用装置に係る。
【０００２】
【従来の技術】
従来、水道、特に豊富に水道水を使用する場所の水道について、水道料金を故意に不払いにする不法な行為が行われることがある。このような不法、違法な行為に対して、強制的に水道栓あるいは水道元栓を閉鎖して、無断では水道元栓を開放出来ないようにする為に、停水用装置が使われていた。
【０００３】
また、水道栓あるいは水道元栓は、形状の相違する数種類が知られている。例えば平面視棒状で正面視Ｔ字形で回転して開閉する栓、平面視円形状で回転して開閉する栓、あるいは逆Ｌ字形のように栓回転中心から片方にのみ突出する栓等の形状の相違があった。さらに、その形状毎に水道栓、水道元栓の首軸部分の直径寸法の違いによって、さらに多くの種別に分かれていた。
【０００４】
そして、従来公知の停水用装置としては、水道栓、水道元栓を閉め停水した水道栓、水道元栓の形状に合わせた鋼鉄製のカバーを数種類の中から選択し、それを水道栓、水道元栓の上方から覆い、それぞれに合った鍵を閉めて固定し、無断で取り外しをされないようにして、栓の回転を不能にして、停水する装置が知られていた。しかしながら、従来の停水用装置は、水道栓、水道元栓の様々な形状や大きさに合わせた十数種類の鋼鉄製のカバーが必要となり、また水道栓の形状が特殊であると被覆不能になる課題があった。さらに、そのような様々な形状や大きさに合わせた十数種類の鋼鉄製のカバーを製造する必要があり、また停水作業をする為には常にこれらを携帯して行動しなければならず、製造効率や作業効率が悪いという課題があった。
【０００５】
本願出願人は、上記課題を解決するために、特願平１０−２２８１７３号（従来技術１）において「数種類の栓取付板と一つのカバー体とからなり、それぞれの栓取付板は同一の周辺形状を有する板状本体と、板状本体に回動自在である回動体とからなり、それぞれの板状本体は中心位置から周辺１方向に一定幅で開口する異なる幅の切欠部を有し、回動体は板状本体の周辺形状と同様な周辺形状の一部を有する板状体で回動することにより板状本体の切欠部の周辺開口部を開閉し、閉鎖状態のときに回動体の周辺形状と本体の周辺形状の一部が重なり合うとともに中心位置にそれぞれの栓取付板により異なる大きさの中心切欠部を形成し、かつカバー体は全ての栓取付板の周辺形状と合致するとともに水道元栓を被覆可能な空隙を有する栓被覆部を有し、栓被覆部の開口部に突出自在な移動爪および、移動爪の突出固定状態を解除する解除キーを有することを特徴とする停水用装置」を提案している。
【０００６】
【この発明が解決しようとする課題】
しかしながら、従来技術１の停水用装置では、栓取付板と、水道栓の間が密閉されていないため、長期間の停水の間に埃や土などの細かいゴミがカバー体内に溜まり、いざ開栓しようとしても、ゴミが固まって、その清掃に時間が掛かり作業効率が非常に悪かった。
【０００７】
従来技術１は、栓取付板が板状体であることと水道栓の間に少し間隔が空いていたため、取り付けた停水用装置全体がぐらつきやすい課題があった。さらに栓取付板は金属製ではあるが１〜２ｍｍ厚さ程度の板状体であったため、悪質な水道料金不払い者は、金具などで、ぐらつきのある栓取付板を曲げたり壊したりして水道栓から外し、それによって停水用装置全体を外してしまい、再び無断で水道栓、または水道元栓を開栓されてしまう課題があった。
【０００８】
また、従来技術１では、カバー本体の開口面に固定押え爪が突出していたため、カバー本体を栓取付板に被覆する際、邪魔になり取り付けにくく、またカバー本体を取り外す場合も、引っかかりやすく作業が行いにくい課題があった。
【０００９】
【課題を解決する為の手段】
この発明は前記の課題を達成するために、数種類の水道栓取付体と一つのカバー体とからなり、それぞれの水道栓取付体はそれぞれ開閉自在である内側環状体と外側環状体からなる二重輪の環状体からなり、内側環状体は、中心部分に水道栓又は水道元栓の首軸部分外周に嵌合可能な首軸用孔を開口しており、外周面に外側環状体と嵌合可能な外周溝を設け、外側環状体は、中心部分に内側環状体の外周溝に嵌合する内周突部を有する嵌合孔を形成され、かつ外周面はカバー体内周面より小さい外周面を有するとともに、一つのカバー体は全ての水道栓取付体の環状体外周形状より大きく水道栓または水道元栓を被覆可能な空隙を有する栓被覆部を有し、栓被覆部の開口部に突出自在な移動爪を有することを特徴とする停水用装置を提案する。
【００１０】
さらに、数種類の水道栓取付体と一つのカバー体とからなり、それぞれの水道栓取付体は、それぞれ環の外方に開閉自在である内側環状体と外側環状体からなる二重輪の環状体からなり、内側環状体は、中心部分に水道栓又は水道元栓の首軸部分外周に嵌合可能な首軸用孔を開口しており、少なくとも外周部分に肉厚部を形成し外周全面に外側環状体と嵌合可能な外周溝を設け、外側環状体は、中心部分に内側環状体の外周溝に嵌合する内周突部を有する嵌合孔を形成され、かつ外周面はカバー体内周面より小さい外周面を有するとともに、一つのカバー体は全ての水道栓取付体の環状体外周形状より大きく水道栓または水道元栓を被覆可能な空隙を有する栓被覆部を有し、栓被覆部の開口部に突出自在な移動爪を有することを特徴とする停水用装置を提案する。
【００１１】
【発明の実施の形態】
この発明を実施の形態を示す図である水道栓又は水道元栓に停水用装置を取り付けた状態を示す断面説明図である図１、カバー体の一部切欠断面正面を示し移動爪が突出した状態を示す図２、同じくカバー体の底面を示す図３、同じくカバー体の側面を示す図４、二重輪の水道栓取付体の平面を示す図５、図５のＣＣ線断面を示す図６、他の実施形態である１つの環状体からなる水道栓取付体の平面を示す図７、同じく図７のＤＤ線断面を示す図８に基づいて説明する。
【００１２】
この発明の１の実施の形態を示す停水用装置は、二重輪からなる水道栓取付体１と、それに対応する１種類のカバー体２とからなる。数種類の水道栓取付体１の外周形状は、この実施の形態ではカバー体２の栓被覆部２００の開口面２０２の開口形状に挿入可能な、開口形状よりやや小さい相似の円形状を有するが、他の実施の形態としては、楕円形状、多角形状でも可能である。
【００１３】
それぞれの水道栓取付体１は、それぞれ環の外方に開閉自在である内側環状体１ａと外側環状体１ｂからなる二重輪の環状体からなる。
【００１４】
内側環状体１ａは、中心部分に水道栓又は水道元栓Ａの首軸部分Ｂ外周に嵌合可能な首軸用孔１０を開口しており、少なくとも外周部分に肉厚部を形成し外周面１１の全面に外側環状体１ｂと嵌合可能な外周溝１２を設ける。内側環状体１ａは、半円部分同士を第１枢軸１３ａによって開閉自在であり、開放状態から閉鎖状態にさせることにより水道栓又は水道元栓Ａの首軸部分Ｂに首軸用孔１０を嵌合させる。首軸用孔１０の孔形状は円形であり、水道栓又は水道元栓Ａの数種類の直径に合わせた内径を有し、首軸用孔１０の周囲部分は、この実施例では板状体である。
【００１５】
外側環状体１ｂは、中心部分に内側環状体１ａの外周溝１２に嵌合する内周突部１４を有する嵌合孔１５が形成される。外側環状体１ｂの外周面は、水道栓取付体１の外周面であり、カバー体２の内周面より小さい外周面を有する。外側環状体１ｂは、半円部分同士を第２枢軸１３ｂによって開閉自在であり、開放状態から閉鎖状態にさせることにより内側環状体１ａの外周面１１の外周溝１２に嵌合孔１５の内周突部１４を嵌合させることにより確実に内側環状体１ａに外側環状体１ｂを嵌合させ得る。嵌合孔１５周囲部分は、この実施例では板状体である。
【００１６】
この発明の他の実施の形態であり図７および図８に示す停水用装置の水道栓取付体１ｃは、内側環状体と外側環状体が一体に形成された形状である一つの環状体からなる。数種類の水道栓取付体１ｃの外周形状は、この実施の形態ではカバー体２の栓被覆部２００の開口面２０２の開口形状に挿入可能な、開口形状よりやや小さい相似の円形状を有するが、他の実施の形態としては、楕円形状、多角形状でも可能である。一つのカバー体２は、前述の実施形態と同様である。
【００１７】
環状体１ｃは、中心部分に水道栓又は水道元栓Ａの首軸部分Ｂ外周に嵌合可能な首軸用孔１０ｃを開口しており、中間に段差部分１６を有し、外周部分に外壁面１７からなる肉厚部を形成する。環状体１ｃは、２つの径の異なる円筒体を一体的に接続した形状であり、正面視形状は凸形状である。環状体１ｃは、半円部分同士を第３枢軸１３ｃによって開閉自在であり、開放状態から閉鎖状態にさせることにより水道栓又は水道元栓Ａの首軸部分Ｂに首軸用孔１０ｃを嵌合させる。首軸用孔１０ｃの孔形状は円形であり、水道栓又は水道元栓Ａの数種類の首軸部分Ｂの直径に合わせた内径を有し、首軸用孔１０ｃの周囲部分は、この実施例では板状体である。
【００１８】
一つのカバー体２は、移動爪内蔵部２０１を含めて一体的に形成される鋼鉄製のカバー本体２０と、カバー本体２０の移動爪内蔵部２０１から栓被覆部２００の開口部に突出自在な移動爪２１、移動爪２１を付勢するスプリング２２、移動爪２１を止めるストッパー２３、ストッパー２３を解除する解除キー２４、解除キー２４を挿入させるキーホール２５、ストッパー２３を移動爪２１方向に付勢する第２スプリング２６とからなる。
【００１９】
カバー本体２０は、一方面をほぼ円形に開口し水道栓または水道元栓Ａが入る高さのほぼ円柱形の空洞部からなる栓被覆部２００と、移動爪内蔵部２０１とからなる。栓被覆部２００の開口面２０２は円形状であり、栓取付板１の円周形状より一回り大きい相似円形状である。２０３は疑似溝であり、この実施形態ではカバー本体２０の外周面に縦方向に半円筒形状の溝をほぼ等間隔に６本形成している。疑似溝２０３は、不法者が不法にキー解除しようとする場合に、不法者がキー溝と考えて間違えることを作用効果としている。
【００２０】
カバー本体２０の移動爪内蔵部２０１の開口面２０２位置に、スプリング２２によって開口面２０２とは反対方向に付勢されている移動爪２１を設けてある。移動爪２１は、板状体であり先端部分が栓被覆部２００の開口面２０２に突出自在になるように設けられている。先端部分の形状は開口面２０２の内円形状の部分内円形に形成される。移動爪２１の基端部分は移動爪内蔵部２０１に入っており、移動爪２１の反開口面方向に固定されている移動棒２１０によって、移動爪２１は開口部側に突出可能である。移動爪２１はスプリング２２によって開口面２０２側とは反対方向に付勢されており、移動爪内蔵部２０１より開口している孔２１１から突出している移動棒２１０の後端を押すことにより、スプリング２２に付勢力に抗して開口面２０２側に移動させる。
【００２１】
移動爪２１は、上面に停止溝を移動方向とは直角に設けており、移動爪２１の先端部分が栓被覆部２００の開口面２０２に突出した状態のとき停止溝にストッパー２３が挿入される。停止溝へのストッパー２３の挿入により移動爪２１は先端部分が開口面２０２に突出したままの状態で停止する。ストッパー２３は、その先端を移動爪２１の上面方向に第２スプリング２６によって付勢されている。ストッパー２３は板状体であり、側面をキーホール２５端部に接している。ストッパー２３のキーホール側の板状面にキー溝を形成している。
【００２２】
移動爪内蔵部２０１には、栓被覆部２００の開口面２０２と平行な方向にキーホール２５を設けている。一般に、カバー本体２０を水道栓または水道元栓Ａに取り付ける場合、栓被覆部２００の開口面２０２は下方水平面に開口し、したがって停水用装置が水道元栓Ａに取り付けられた状態ではキーホール２５は水平方向に貫通している。
【００２３】
キーホール２５には、解除キー２４が挿抜自在に取り付けられる。解除キー２４は、丸棒状あるいは多角形状体であり先端に円端部あるいは中心からずれて偏心して位置する解除突起を設けてある。解除キー２４を挿入し適当に回転させることにより偏心している解除突起がストッパー２３のキー溝に入り回転させることにより、解除突起の位置を上げストッパー２３を上方へ移動させ、ストッパー２３の先端を移動爪２１の停止溝から解除させる。すると移動爪２１は、スプリング２２の付勢力で開口面２０２側とは逆の方向に移動し、移動爪内蔵部２０１に入り先端部分は開口面２０２からなくなる。
【００２４】
次に、この発明の一つの実施の形態である停水用装置の作用について説明する。停水させる水道栓または水道元栓Ａは、通常大半が水道管に対して上方に設けられている。この水道元栓Ａの首軸部分Ｂの外径と隙間がなるべく出来ない寸法の内径を有する首軸用孔１０を有する内側環状体１ａを選択し、第１枢軸１３ａを中心に半円形部分を手で開放させる。第１枢軸１３ａは、摩擦を有しており手作業で作動させた形状で互いの半円形状は停止可能である。したがって開放させ互いの半円形部分の直辺部が９０度前後に開放状態としたまま、水道栓あるいは水道元栓Ａの首軸部分Ｂに持っていき閉鎖状態にさせて円形状にすることにより首軸用孔１０に首軸部分を取り付ける。
【００２５】
次に内側環状体１ａの外側に外側環状体１ｂを手作業で取り付ける。外側環状体１ｂは、半円部分同士を第２枢軸１３ｂを中心に開放状態とし、内側環状体１ａの外周面にある外周溝１２に、嵌合孔１５の内周突起１４を嵌合させて閉鎖状態である円形状にして取り付ける（図５、図６参照）。
【００２６】
このとき水道元栓Ａの栓形状は、丸型でも、Ｔ字状型でも、片栓型でも、その他様々な形状でもよく、栓被覆部２００の空隙部分の高さ範囲の大きさであるなら使用可能である。
【００２７】
また数種類の水道栓取付体１は、内側環状体１ａの首軸用孔１０の径の大きさが、数種類のうち取り付けるべき水道栓または水道元栓Ａの首部の首軸部分Ｂの外径の太さにより取り付け可能で一番近い大きさの種類を選択する。
【００２８】
この発明の他の実施形態の水道栓取付体１ｃも同様であり（図７参照）、水道元栓Ａの首軸部分Ｂの外径と隙間がなるべく出ない内径を有する首軸用孔１０ｃを有する水道栓取付体１ｃを選択し、第３枢軸１３ｃを中心に半円形部分を手で開放させる。第３枢軸１３ｃは、摩擦を有しており手作業で作動させた形状で互いの半円形状は停止可能である。したがって開放させ互いの半円形部分の直辺部が９０度前後に開放状態としたまま、水道栓あるいは水道元栓Ａの首軸部分Ｂに持っていき易い。
【００２９】
次に、カバー体２を、水道栓または水道元栓Ａの上方から被覆させる。このとき栓被覆部２００は、その開口面２０２から水道元栓Ａおよび水道栓取付体１を被覆させ、この２つを栓被覆部２００内の空洞部に入れる。このときカバー本体２０の開口面２０２に突出部が無いので真っ直ぐ上方から容易に被覆でき、水道栓取付体１を栓被覆部２００の空洞部に入れる。
【００３０】
次に、作業員が移動棒２１０をスプリング２２の付勢力に抗して押して移動させる。移動爪２１の先端が栓被覆部２００の開口面２０２に突出すると、移動爪２１の板状上面側からストッパー２３が移動爪２１の停止溝に挿入される。
【００３１】
ストッパー２３が移動爪２１の溝に挿入することによって、移動爪２１は先端部分を栓被覆部２００の開口面２０２に突出した状態で固定される。この移動爪２１の開口面への突出状態により水道栓または水道元栓Ａおよび水道栓取付体１、１ｃは、栓被覆部２００に被覆された状態で取り付けられ固定される。
【００３２】
次に、この水道栓取付体１およびカバー体２を停水させている水道栓または水道元栓Ａから取り外す場合について説明する。カバー本体２０とは別体の解除キー２４を使用し、移動爪内蔵部２０１に開口する水平方向のキーホール２５に解除キー２４を差し込む。解除キー２４の先端に偏心した位置にある解除突起が形成されているので、解除キー２４を挿入し適当に回転させることにより偏心している解除突起がストッパー２３のキー溝に入る。さらに回転させることにより、解除突起の位置が上がりストッパー２３を上方へ移動させ、ストッパー２３の先端を移動爪２１の停止溝から外す。すると移動爪２１は、スプリング２２の付勢力で開口面２０２とは逆の方向に移動し、移動爪内蔵部２０１に入り先端部は開口部から除かれる。
【００３３】
【発明の効果】
したがって、この発明によれば、水道栓の首軸部分間がほとんど密閉されるため、長期間の停水の間に埃や土などの細かいゴミがカバー体内に入ることを防ぐ。そのため、長期間の停水後でも、従来の停水用装置に比較し容易にキーにより停水用装置を水道栓または水道元栓から外すことが可能であり、作業効率が向上した。
【００３４】
また、環状体に肉厚部があり、水道栓または水道元栓の首軸部分に密着するので、停水用装置を取り付けが確実強固になり、ぐらつくことがなくなり、停水用装置が無法者により無断で外されにくくなった。
【００３５】
さらに、従来技術１では、カバー本体の開口面に固定押さえ爪が突出していたため、カバー本体を栓取付板に被覆する際、邪魔になり取り付けにくく、またカバー本体を取り外す場合も、引っかかりやすく作業が行いにくい課題があったが、この発明はカバー本体の開口部に突出部分が無いので、カバー本体を取付易くなり作業効率が向上した。
【００３７】
さらにまた、取付作業の外、運搬、保管作業が簡易となり、ほとんど全ての種類、寸法の水道元栓、水道栓の停水、また停水の解除の作業が容易になり、作業効率が向上する。
【００３８】
また、様々な種類の水道元栓、水道栓に合わせて、鋼鉄製の停水用装置カバーを製造する必要があったが、一つの種類のカバー体の製造ですむために製造効率が向上する。
【図面の簡単な説明】
【図１】この発明を実施の形態を示す図である水道栓又は水道元栓に停水用装置を取り付けた状態を示す断面説明図
【図２】同じくカバー体の移動爪が突出した状態を示す一部切欠断面正面図
【図３】同じくカバー体の移動爪が突出した状態の底面図
【図４】同じくカバー体の側面図
【図５】同じく二重輪の環状体の水道栓取付体の平面図
【図６】同じく図５のＣＣ線断面図
【図７】この発明の他の実施形態である１つの環状体からなる水道栓取付体の平面図
【図８】同じく図７のＤＤ線断面図
【符号の説明】
１      水道栓取付体
１ａ    内側環状体
１ｂ    外側環状体
１ｃ    環状体（他の実施形態）
１０    首軸用孔
１０ｃ  首軸用孔（他の実施形態）
１１    外周面
１２    外周溝
１３ａ  第１枢軸
１３ｂ  第２枢軸
１３ｃ  第３枢軸（他の実施態様）
１４    内周突部
１５    嵌合孔
１６    段差部分
１７    外壁面
２      カバー体
２０    カバー本体
２００  栓被覆部
２０１  移動爪内蔵部
２０２  開口面
２０３  疑似溝
２１    移動爪
２１０  移動棒
２１１  孔
２２    スプリング
２３    ストッパー
２４    解除キー
２５    キーホール
２６    第２スプリング
Ａ      水道元栓（または水道栓）
Ｂ      水道元栓（または水道栓）の首軸部分
【図１】
0003914701.tif 000002
【図２】
0003914701.tif 000003
【図３】
0003914701.tif 000004
【図４】
0003914701.tif 000005
【図５】
0003914701.tif 000006
【図６】
0003914701.tif 000007
【図７】
0003914701.tif 000008
【図８】
0003914701.tif 000009